(57)【要約】  本発明は、具体的には、コンテナ内で運搬可能なコンピュータ・ハウジング・センタのためのコンピュータデバイス（７００）に関する。コンピュータデバイスは、少なくとも１つのコンピュータキャビネットを含む。前記コンピュータデバイスは、前記コンピュータデバイスがその内部に配置されるコンテナ、かつ前記コンピュータデバイスに対して、コンテナにそのコンピュータデバイスが設置されると少なくとも１つのコンピュータキャビネットへの振動の伝達を吸収することに適するアブソーバシステムを備えるコンテナ、の内部で移動可能であるようにサイズを決定されかつ配置される。
2013524482.tif 000002
【特許請求の範囲】
【請求項１】
コンテナによる搬送が可能なＩＴホスティングセンタのためのＩＴ装置（７００）であって、ＩＴ装置は少なくとも１つのＩＴラック（５１０）を備え、ＩＴ装置は、ＩＴ装置が所定位置に置かれるべくコンテナ内部で移動できるようにサイズを決定されかつ配置され、かつ少なくとも１つのＩＴラック（５１０）への振動の伝達を減衰するための固有の緩衝システム（１０）をさらに備えることを特徴とするＩＴ装置（７００）。
【請求項２】
少なくとも１つのＩＴラック（５１０）の下に直にアクセスできる連続する、または不連続のハンドリング面（１６０）を備える、請求項１に記載のＩＴ装置（７００）。
【請求項３】
緩衝システム（１０）が、少なくとも３つの位置合わせされていないポイントに配置される少なくとも３つの緩衝ユニット（１４０）を備える、請求項１または２に記載のＩＴ装置（７００）。
【請求項４】
水平に延びるＩＴラックの列（５００）の形式で配置される少なくとも２つの類似するＩＴラック（５１０）を備える、請求項１から３の一項に記載のＩＴ装置（７００）。
【請求項５】
ラックが、少なくとも頂部によって、または底部によって共に締結される、請求項４に記載のＩＴ装置（７００）。
【請求項６】
少なくとも１つのＩＴラック（５１０）および少なくとも１つの緩衝ユニット（１４０）が締結される少なくとも１つの水平の梁（１００、１１０、１１１）を含む、請求項５に記載のＩＴ装置（７００）。
【請求項７】
緩衝システム（１０）が、弾性材料を含む少なくとも１つの緩衝ユニットを備える、請求項１から６の一項に記載のＩＴ装置（７００）。
【請求項８】
緩衝システム（１０）が、振動しがちな部材（１００５）へ剛性的に結合するための締結部材を有する少なくとも１つの支持部材（１３０）を備え、よって少なくとも１つのＩＴラックは振動しがちな部材上へ緩衝システム（１０）を介して置かれる、請求項１から７の一項に記載のＩＴ装置（７００）。
【請求項９】
緩衝システム（１０）が、振動しがちな部材へ締結されるように適合化される少なくとも１つの締結部材を備え、よって少なくとも１つのＩＴラックは、振動しがちな前記部材から緩衝システム（１０）を介して懸垂される、請求項１から８の一項に記載のＩＴ装置（７００）。
【請求項１０】
請求項１から９の一項に記載のＩＴ装置（７００）を少なくとも１つ備える、可搬式ＩＴホスティングセンタのためのコンテナ。
【請求項１１】
少なくとも１つのＩＴラックのドアの前に、ＩＴ装置（７００）に結合する剛性締結のないアクセスデッキ（１０１０）をさらに備える、請求項１０に記載のコンテナ。
【請求項１２】
技術デッキ（１０１０）がコンテナの少なくとも１つの壁（１００５）へ剛性的に締結されることを特徴とする、請求項１１に記載のコンテナ。
【請求項１３】
第２の類似するＩＴ装置（７００）を備え、２つのＩＴ装置（７００）の緩衝システム（１０）は独立している、請求項１０から１２の一項に記載のコンテナ。
【請求項１４】
前側から強い衝撃を受けた場合に装置を保持するために、前記ＩＴ装置（７００）をコンテナの壁へ結合するケーブルを備える、請求項１０から１３の一項に記載のコンテナ。
【発明の詳細な説明】
【技術分野】
【０００１】
本発明は、設置および取外しが単純化されているタイプの可搬式ＩＴホスティングセンタのためのＩＴ装置（ＩＴは、情報技術の略）に関し、かつこのようなＩＴ装置を備える可搬式ＩＴホスティングセンタのためのコンテナに関する。
【背景技術】
【０００２】
データセンタまたはサーバクラスタとしても知られるＩＴホスティングセンタは、具体的には、サーバ、データ記憶ユニットまたはテレマティック機器を一纏めにする、電子デバイスが内部に設置されるラックの形式をとるセットである。
【０００３】
典型的には、このようなセンタは、具体的には制御およびセキュリティ用エレメント、空調システム、防火装置および保全および監視用エレメントを組み込む。これらのセンタは、電力供給およびインターネットまたはイーサネット（登録商標）タイプのネットワークへの接続並びに概して冷却用給水を必要とする。
【０００４】
要求に応じて設置および取外しができるホスティングセンタの中には、トラックまたは船舶輸送用の規格に準拠する場合がありかつ先に述べた異なるハードウェアエレメントを多少なりとも統合されかつすぐに使える形式で組み込んでいる貨物用コンテナタイプのプレハブエレメント形式をとるものがある。
【０００５】
また、コンピューティングセンタは、海洋での空間等の高度に制約された空間においても必要とされることは留意されてもよい。
【０００６】
その理由が、このような制約された空間において設置されることであるか、トラックまたは船舶によって輸送されることであるかに関わらず、ＩＴ装置は衝撃または振動に難点があることが分かっている。
【０００７】
さらに、演算能力に対するユーザのニーズは、あるときは増大、あるときは減少と著しく変わり、よって現行システムの場合、コスト管理を行いながら必要な調整に迅速に対処するフレキシブルさが不十分であることは明らかである。
【発明の概要】
【発明が解決しようとする課題】
【０００８】
このコンテキストにおいて発生する課題は、ＩＴ装置のための機械的セキュリティと提供されるケイパビリティの面でのフレキシブルさとを組み合わせる、可搬式ＩＴホスティングセンタのためのＩＴ装置を提供することにある。
【課題を解決するための手段】
【０００９】
この目的に対して、コンテナにより運搬されることが可能なＩＴホスティングセンタを構成するＩＴ装置が提供されている。本ＩＴ装置は、少なくとも１つのＩＴラックを備え、本ＩＴ装置が所定の位置に置かれるべくコンテナ内で移動可能であるようにサイズを決定されかつ配置されることと、具体的には本ＩＴ装置がコンテナ内に設置されると少なくとも１つのＩＴラックへの振動の伝達を減衰するための緩衝システムをさらに備えることを特徴とする。
【００１０】
このようなＩＴ装置によって、ホスティングセンタは、当初は空である場合がある１つまたは複数のコンテナ内に１つから５個までの範囲内の、またはコンテナのサイズに依存してそれ以上でもあり得る適合化された数のＩＴ装置を設置することにより、１つまたは複数のコンテナ内に構成されることが可能である。ＩＴ装置は、人であるオペレータが軽量のハンドリング装置を用いて容易に移動可能であり、かつ各ＩＴ装置は固有の緩衝システムを有していて、これが具体的にはホスティングセンタが完成される際のその保護を保証する。懸念される振動は、垂直振動または他の振動であってもよい。
【００１１】
ある効果的な特徴によれば、本ＩＴ装置は、例えば少なくとも１つのＩＴラックの下に配置される２つの水平の梁によって画定されるアクセス可能な連続する、または不連続のハンドリング面を備える。したがって、本ＩＴ装置は、一般に「パレットジャッキ」と呼ばれるパレット運搬装置によって移動されてもよい。
【００１２】
ある効果的な特徴によれば、緩衝システムは、少なくとも３つの位置合わせされていないポイントに配置される少なくとも３つの緩衝ユニットを備える。したがって、緩衝は、機器の支持平面またはサスペンション平面において生じる。
【００１３】
ある特徴によれば、本ＩＴ装置は、水平に延びるＩＴラック列の形式で配置される、互いに類似する場合も類似しない場合もある少なくとも２つのＩＴラックを備える。
【００１４】
これらのＩＴラックは、少なくとも頂部または底部で互いに固定されてもよい。
【００１５】
本ＩＴ装置は、さらに、１つまたは複数のＩＴラック並びに少なくとも１つの緩衝ユニットが例えば剛性締結される水平の梁を備えてもよい。
【００１６】
この特徴は、規格ＩＴラックが使用されかつこれらがＩＴラックの列を１つまたは複数の緩衝ユニットへ容易に結合することを可能にする。
【００１７】
緩衝システムは、コイル状に巻かれたケーブルにより構成される少なくとも１つの緩衝ユニットを備えてもよく、コイルの軸は水平である。緩衝システムは、例えばゴムのブロックである可撓性材料のブロックも備えてもよい。このようなシステムは、非線形減衰をもたらす。
【００１８】
ある実施形態によれば、緩衝システムは、具体的には垂直に振動しがちな部材上へ配置されるように適合化される少なくとも１つの支持部材を備えてもよく、よって、少なくとも１つのＩＴラックは振動しがちな部材上へ緩衝システムを介して置かれる。
【００１９】
別の実施形態によれば、緩衝システムは、具体的には垂直に振動しがちな部材から懸垂されるように適合化される少なくとも１つのサスペンション部材を備え、よって、少なくとも１つのＩＴラックは振動しがちな部材から緩衝システムを介して懸垂される。
【００２０】
また本発明は、先に提示されたような少なくとも１つのＩＴ装置を備える可搬式ＩＴホスティングセンタのためのコンテナにも関する。
【００２１】
コンテナは、さらに、少なくとも１つのＩＴラックのドアの前に、好ましくはそれをＩＴ装置へ結合する剛性締結のないアクセスデッキを備えてもよい。
【００２２】
このアクセスデッキは、例えば人であるオペレータがＩＴ装置の隣へ移動し、少なくとも１つのＩＴラックのドアの前で直立しかつＩＴラックの内容物に適当な高さで容易にアクセスすることを可能にする。またこのデッキは、コンテナ内、具体的にはデッキの中空厚さ内への液圧管および電気ケーブルの設置を可能にし、これらの管およびケーブルは、このようにしてＩＴラックの下側部分へ容易に接続される。
【００２３】
アクセスデッキは、コンテナの壁、例えば底壁へ、例えばボルトによって剛性的に締結されてもよい。
【００２４】
このような締結モードは単純さという優位点を有し、かつ入手可能なパーツを適合化の必要なしに使用できるようにする。
【００２５】
コンテナは、類似する第２のＩＴ装置を備えてもよく、２つのＩＴ装置の緩衝システムは独立している。
【００２６】
コンテナはさらに、前側に強い衝撃を受けた場合に装置を保持するために前記ＩＴ装置をコンテナの壁へ結合するケーブルを備えてもよい。
【００２７】
次に、添付の図面を参照して本発明を説明する。
【図面の簡単な説明】
【００２８】
【図１】本発明による第１の緩衝デバイスを示す斜視図である。
【図２】図１に示されたものと同じ緩衝デバイスを示す、空間的一方向からの側面図である。
【図３】図１に示されたものと同じ緩衝デバイスを示す、空間的一方向からの側面図である。
【図４】図１に示されたものと同じ緩衝デバイスを示す、空間的一方向からの側面図である。
【図５】図１から図４までに示されている緩衝デバイス上へＩＴラックセットを組み立てる一ステップをある角度から示している。
【図６】図１から図４までに示されている緩衝デバイス上へＩＴラックセットを組み立てる一ステップを別の角度から示している。
【図７】先行する諸図に示されているもの等の緩衝デバイス上へ組み立てられたＩＴラックセットにより構成されるＩＴ装置を示す。
【図８】先行する諸図に示されているもの等の緩衝デバイス上へ組み立てられたＩＴラックセットにより構成されるＩＴ装置を示す。
【図９】先行する諸図に示されているもの等の緩衝デバイス上へ組み立てられたＩＴラックセットにより構成されるＩＴ装置を示す。
【図１０】図７から図９までに示されているような２つのＩＴ装置を備える可搬式ＩＴホスティングセンタのためのコンテナを示す。
【図１１】本発明による第２の緩衝デバイスを示す斜視図である。
【発明を実施するための形態】
【００２９】
図１には、緩衝デバイス１０が示されている。これは、２つの長手方向の梁１００を備える。これらは、ＩＰＮビーム（即ち、規格準拠のＩ型梁）である。双方の梁のサイズは、例えば１２０ｍｍＸ６４ｍｍである。
【００３０】
図１には、これらの２つの長手方向の梁１００に対して横方向に、２つの横梁１１０が示されている。これらは、梁１００を略３分の１である３つの部分に分割することから中間横梁と称される。これらの梁も同じく、例えばサイズ１００ｍｍｘ１００ｍｍのＩＰＮビームである。
【００３１】
図１には、梁１００に対して横方向に、梁１００の端と交差することから端部横梁と称される２つの横梁１１１も示されている。合計４つの横梁１１０および１１１は、長手方向の梁１００と共に３つの長方形部分を画定し、これらの長方形部分は各々横梁１１０および横梁１１１を長辺として有し、かつ３つの長方形部分は合わせて、その長辺が長手方向の梁１００によって構成される長方形を形成する。
【００３２】
横梁１１０および横梁１１１は、梁１００の上向きに配置される、上面として明示される面へ剛性的に締結される。
【００３３】
ここで、梁が他の配列で実装されてもよいことは留意されるべきである。
【００３４】
梁１００の下面として明示されるもう一方の面には、図１では１４０で参照されるＶｉｂｃａｂｌｅ型（Ｖｉｂｃａｂｌｅは商標）のショックアブソーバである４つの緩衝ユニットが締結されている。本例によれば、各緩衝ユニットは、長手方向の棒の間に巻かれたケーブルによって構成される。緩衝ユニットは、例えばボルトによって長手方向の梁１００へ締結される。各緩衝ユニットは、長手方向の梁１００の一端に位置合わせされる。したがって、これらの緩衝ユニットは長方形を形成する。或いは、３つの位置合わせされていないポイントに配置される３つの緩衝ユニットが用いられてもよい。さらなる代替例では、５つ以上の緩衝ユニットが用いられてもよい。
【００３５】
ここでは、他のタイプの緩衝ユニットが用いられてもよいことが観察される。例示として、図１１を参照して説明されるように、緩衝システムは、可撓性材料のブロック、例えばＳｉｌｅｎｔｂｌｏｃ（Ｓｉｌｅｎｔｂｌｏｃは商標）の名称でも知られるゴムブロックを備えてもよい。また緩衝システムは、異なるタイプの緩衝ユニットも備えてもよい。
【００３６】
緩衝ユニットは、梁１００とは反対側の遠位で、梁１００の面に平行しかつ緩衝デバイス１０の下側の締結を形成するプレート１３０を支える。
【００３７】
長手方向の梁１００の各々の下面では、両端に存在する２つの緩衝ユニットの間に、梁表面の一部分で構成されるハンドリング面１６０が位置決めされる。緩衝ユニット間の空きスペースは、緩衝デバイス１０の片側から、または前記デバイスのもう一方の側からパレットジャッキ（不図示）のフォークを挿入させるためのものであってもよい。よってハンドリング面は、デバイスを、デバイスが搬送されるように上側へ持ち揚げる働きをする。別の実施形態では、緩衝ユニットは、ハンドリング面が横梁１１０および横梁１１１へ緩衝ユニットを介して結合されるように相違して配置されることが観察される。したがって、横梁１１０および横梁１１１に対して緩衝デバイスの運搬中にハンドリング装置により発生される振動は減衰される。
【００３８】
最後に、本図では、緩衝デバイス１０の片側に１２０および１２１で参照される４つのアドオンパーツが取り付けられ、これらは、一方の長手方向の梁１００の外側へ各々横梁１１０または横梁１１１と同一平面に締結される。これらのアドオンパーツの機能については後述する。
【００３９】
図２は、同じ緩衝デバイス１０を図１の右側から見た側面図を示す。ここでは、横梁１１０および横梁１１１が梁１００へ各々１０１および１０２で参照されるスペーサを介して締結されることが観察される。
【００４０】
図３は、同じ緩衝デバイス１０を図１の右下から見た側面図を示す。この場合も、スペーサ１０２並びに端部アドオンパーツと称されるアドオンパーツ１２１が見受けられる。
【００４１】
図４には、同じ緩衝デバイス１０がこの場合は上から見て示されていて、緩衝ユニット１４０は部分的にしか見えない。横梁１１０および横梁１１１は、アドオンパーツ１２０および１２１と同じ側の端が対応する長手方向の梁１００の縁と位置合わせされていることが観察される。しかしながら、長手方向の梁１００のアドオンパーツ１２０および１２１が取り付けられない側では、横梁１１０および横梁１１１は長手方向の梁１００の縁を僅かに越えて突き出る。
【００４２】
図５には、先行する諸図に示されているような緩衝デバイス１０へ締結される間の３つのＩＴラック５１０より成る列５００が示されている。図示されている３つのＩＴラック５１０は並列式であり、それらのメインドア５５０は列５００の同じ側（図５の右側）に配置されている。この例によれば、ＩＴラック５１０は各々、メインドア５５０とは反対面に位置づけられる「低温ドア」として明示される二次ドア５２０の厚さ内に包含される冷却システムも有する。
【００４３】
本図において、各ＩＴラック５１０の底部は、下部５３０と称される、ＩＴラックの他の部分より僅かに狭いゾーンを備える。ＩＴラック５１０に合わせて下部５３０を包囲する空のゾーンは、本図では締結スペース５４０として明示される空間を構成する。
【００４４】
ＩＴラック５１０の列５００を緩衝デバイス１０へ締結するステップの間、横梁１１０および横梁１１１は締結スペース５４０内に位置合わせされる。したがって、端部横梁１１１は、列５００の両端で締結スペース５４０の位置に位置合わせされることになるのに対して、中間横梁１１０は、列５００の連続する２つのＩＴラック５１０の下部５３０間に位置決めされる２倍の締結スペース５４０内に位置合わせされることになる。ここでは、梁１１０および梁１１１のサイズは締結スペース５４０内へ挿入されるように適合化されていることが観察される。これらの部材は全て、例えばボルトを用いて剛性的に締結される。さらに、二次ドア５２０のドア枠の下部は、アドオンパーツ１２０および１２１と接触して位置合わせされることになる。本図において、ボルトによる締結は、梁１１１、１１０の端部およびアドオンパーツ１２１において示されている。
【００４５】
したがって、各ＩＴラック５１０の下部５３０は、緩衝デバイス１０の連続する２つの横梁１１０または横梁１１１間に位置決めされる。
【００４６】
図６は、ＩＴラック５１０の列５００を緩衝デバイス１０上へ締結する同じステップを示す。この場合もやはり、列５００の下部５３０および締結スペース５４０に対する横梁１１０および横梁１１１の相補的な配置および形状を観察することができる。
【００４７】
また本図には、緩衝ユニット１４０間の長手方向の梁１００の下部によって構成されるハンドリング面１６０も示されている。
【００４８】
図７には、列５００を緩衝デバイス１０上へ締結したことによって生じたＩＴ装置７００が示されていて、３つのＩＴラック５１０並びにハンドリング面１６０を認識することができる。
【００４９】
図８は、同じＩＴ装置７００を図７の右から見た側面図を示す。具体的には、メインドア５５０を認識することができる。この場合も、列５００のＩＴラックの下部５３０に対する横梁１１０および横梁１１１の相補的な配置および形状を観察することができる。また、ハンドリング面１６０並びに緩衝ユニットの締結プレート１３０も示されている。
【００５０】
図９は、同じＩＴ装置７００をやはり側面から、但し図７に示されているＩＴ装置７００の背面から見た図を示している。二次ドア５２０は、ドア枠がアドオンパーツ１２１に接触した状態で認識することができ、アドオンパーツ１２１はドアサポートとして機能するが、これはアドオンパーツ１２０の場合も同様である。
【００５１】
図１０には、図７から図９までに示されているもの等の２つのＩＴ装置７００を組み込む可搬式ＩＴホスティングセンタのためのコンテナ１０００が示されている。
【００５２】
コンテナ１０００は、各ＩＴ装置７００の緩衝デバイス１０の下側の締結プレート１３０がボルト締めされる水平の下壁１００５を備える。下壁１００５は、コンテナの輸送中、またはコンテナが海洋プラットフォームのように強い震動を受けるゾーンに置かれると、具体的には垂直に振動しがちである。
【００５３】
２つのＩＴ装置７００は、第１のＩＴ装置のＩＴラックのメインドア５５０が第２のＩＴ装置のＩＴラックのメインドア５５０に対面して互いに並列して配置される。したがって、２つのＩＴ装置７００は頭尾式に配置される。
【００５４】
ＩＴラックの列は、コンテナのフロントドア（一方のフロントドアは図の左側で隠蔽され、本図の右側にあるもう一方のフロントドアはコンテナの一部の内部が見えるように切欠きが行われていて示されていない）に対して平行に、よってその長手軸に対して垂直に配置される。さらに、２列のケースが（本図の背部において）コンテナの同じ横壁に接触していることも留意することができる。
【００５５】
コンテナの床を形成する横方向のアクセスデッキ１０１０は、２つのＩＴ装置７００間に配置される。このアクセスデッキの厚さの内部には、ＩＴラックの冷却システムへ給液する働きをする液圧管１０３０が存在する。これらの液圧管１０３０は、冷水の供給および温水の供給を含む。コンテナの床を形成する横方向のアクセスデッキ１０１０は、ＩＴ装置７００の二次ドアを含む面の前にも配置される。
【００５６】
コンテナ１０００の一方の長手方向の垂直壁沿いには、長手方向の技術デッキ１０２０も存在する。これもまた、コンテナ内部の床を形成する。
【００５７】
したがって、人であるオペレータは、横方向のアクセスデッキ１０１０および長手方向のアクセスデッキ１０２０上を歩いてコンテナ１０００内を移動し、かつコンテナから出ることなくＩＴラックの前後にアクセスしてもよい。
【００５８】
ここでは、長手方向のアクセスデッキ１０２０および横方向のアクセスデッキ１０１０の何れも緩衝システムを持たないことが留意される。これらは、ＩＴラックへも、これまでに述べたようにＩＴ装置７００毎に固有である緩衝デバイス１０へも剛性的に締結されない。したがって、コンテナが振動しそうになると、これらのアクセスデッキは、包含する電子コンポーネントの保護を可能にする減衰された動作を有するＩＴラックとは独立して振動する場合がある。ある特定の実施形態では、アクセスデッキ１０１０および１０２０は、コンテナの下壁１００５へ剛性的に締結される。
【００５９】
コンテナ１０００が運搬されると、または過酷な環境による震動を受けると、緩衝ユニットはさらに非線形減衰をもたらし、ＩＴラック内に包含される電子コンポーネントを保全する。
【００６０】
コンテナ１０００は、好ましくは、各ＩＴ装置７００の頂部をコンテナ１０００の天井へ結合するケーブルも備えることは留意されるべきである。このケーブル（不図示）は、コンテナの長手方向に強い衝撃を受けた場合でもケースを垂直位置に保持できるようにする。
【００６１】
例示として、図１１は、本発明による第２の緩衝デバイスの斜視図を示している。図１１に示されているデバイスは図１に示されているものに類似しているが、この場合の４つの緩衝ユニットは１１４０で参照されるＳｉｌｅｎｔｂｌｏｃタイプであって、互いから分離されて弾性材料により共に保持される２つの剛性サポートを備える。
【００６２】
ある代替実施形態（不図示）によれば、この緩衝システムは、コンテナの上壁へ例えば剛性的に締結されるように適合化される締結部材を備える。これもまた、輸送中、またはコンテナが海洋プラットフォーム等の強い震動を受けるゾーンに置かれると、具体的には垂直に振動しがちである。したがって、ＩＴラックは、緩衝ユニットを含む先に示したものに類似する緩衝システムを介して天井から懸垂される。しかしながら、これらの緩衝ユニットは、先に述べた実施形態では圧縮して作動するのに対して、この場合は伸張して作動する。
【００６３】
次に、このようなコンテナ１０００の作製方法について明記する。当初、コンテナ１０００は空である。
【００６４】
第１のステップは、ＩＴ装置７００が規格サイズであってもよい既定サイズのＩＴラックをこの場合は３つ含むことを認識した上で、コンテナ１０００を発注したホスティングセンタの将来のユーザによって望まれるＩＴ装置７００の数を決定することから成る。他の実施形態によれば、ＩＴ装置は１つまたは２つのＩＴラック、またはそれ以上のＩＴラックを含んでもよいことが観察される。
【００６５】
第２のステップは、横方向のアクセスデッキ１０１０をコンテナの一方のフロントドア（積載中はバックドアと称され、かつその間は閉止されてもよい）の近くに設置すること、かつ恐らくはこれを下壁へ剛性的に締結することから成る。
【００６６】
次に、第３のステップの間、図７に示されているもの等のＩＴ装置７００は、コンテナ１０００の背部に第１の横方向アクセスデッキ１０１０沿いに、よってコンテナ１０００の長手軸に対して横断方向へ配置される。ＩＴ装置７００は、ハンドリング面１６０を利用して、パレットジャッキ等の軽量のハンドリング装置を用いることにより供給されてもよい。この場合、軽量のハンドリング装置は、開放されたフロントドア（バックドアから遠位）から進入し、ＩＴ装置７００を置きかつ再度同じ開放されたフロントドアからコンテナを出る。
【００６７】
プレート１３０が、効果的には、コンテナの下壁１００５へボルト締めされる。次に、第１の長手方向のアクセスデッキ１０２０並びに第２の横方向のアクセスデッキ１０１０が、恐らくは下壁１００５へのボルト締めによって所定位置に置かれる。液圧管および電気ケーブルは、ＩＴ装置７００のＩＴラックへ液体および電気を例えばその下部５３０によって供給するためにこれらのアクセスデッキの厚さ内に嵌め込まれる。
【００６８】
次に、引き続き軽量のハンドリング装置を用いて開放されたフロントドアから、第２のＩＴ装置７００が先と同様にその固有の緩衝システムを包含して運び入れられる。これは、同じ横壁に当てて、第１のＩＴ装置７００に並列して、好ましくはそれと頭尾関係で配置される。或いは、これは頭尾式に配置されないことも可能である。これは、他の横壁に当てて配置される可能性もある。
【００６９】
これらの動作が、要求されるＩＴパワーに依存して所望される回数で反復される。長手方向および横方向のアクセスデッキは、オペレータがＩＴラックの前にＩＴラック内部での作業を可能にする高さで直立できるように、ＩＴラックの列の周りに配置される。
【００７０】
コンテナの作製方法は、軽量のハンドリング装置なしで実装されてもよく、その統合された緩衝ユニットを装備したＩＴラックは、人であるオペレータによって運搬されかつ所定位置に置かれる。この場合、ハンドリング面１６０の存在は不要である。
【００７１】
さらに、ハンドリング面が存在する場合、このハンドリング面は異なる形状であってもよく、専用のハンドリング装置が、専用に作製されるか別途入手可能であるかに関わらず、ＩＴ装置７００をコンテナの外側からコンテナの内側へ運搬できることのみが肝要である。
【００７２】
次に、コンテナ１０００はトラックによって、または船舶によって運搬されてもよく、または海洋ゾーン等の強い振動を受けるゾーンに設置されてもよい。設置されたＩＴ装置７００は、その組み込まれた緩衝システムによって完全に保護される。
【００７３】
本発明は、記述されている実施形態に限定されるものではなく、当業者の能力の範囲内にある全ての変形を包含する。
【図１】
2013524482.tif 000003
【図２】
2013524482.tif 000004
【図３】
2013524482.tif 000005
【図４】
2013524482.tif 000006
【図５】
2013524482.tif 000007
【図６】
2013524482.tif 000008
【図７】
2013524482.tif 000009
【図８】
2013524482.tif 000010
【図９】
2013524482.tif 000011
【図１０】
2013524482.tif 000012
【図１１】
2013524482.tif 000013
【国際調査報告】
2013524482.tif 000014
2013524482.tif 000015
2013524482.tif 000016
2013524482.tif 000017
2013524482.tif 000018
2013524482.tif 000019